(57)【要約】【課題】  耳にピアスホールを開けていない人でも、ピアス感を楽しむことができる耳飾りを提供すること。【解決手段】  一対の挟持部２，３で耳を挟持するイヤカフ本体１が備えられ、上記一対の挟持部２，３の対向間隔Ｓと対向するイヤカフ本体１の底部４に挿入孔形成部６が形成され、この挿入孔形成部６には上記挟持部に挟持された耳の厚み方向に貫通した挿入孔６ａが形成され、この挿入孔６ａは、挿入されたピアスポストＡに対して挿入孔６ａの内周面の全部または一部がピアスポストＡに密着可能な形状及び寸法を維持し、上記挿入孔６ａとその挿入孔６ａに挿入されたピアスポストＡとの密着部分の摩擦力がピアスポストＡの抜け防止機能を発揮する。【選択図】  図２
2020162639.tif 000002
【特許請求の範囲】
【請求項１】
一対の挟持部で耳を挟持するイヤカフ本体が備えられ、
上記一対の挟持部の対向間隔と対向するイヤカフ本体の底部に挿入孔形成部が形成され、この挿入孔形成部には上記挟持部に挟持された耳の厚み方向に貫通した挿入孔が形成され、この挿入孔は、挿入されたピアスポストに対して挿入孔の内周面の全部または一部がピアスポストに密着可能な形状及び寸法関係を維持し、
上記挿入孔とその挿入孔に挿入されたピアスポストとの密着部分の摩擦力がピアスポストの抜け防止機能を発揮する耳飾り。
【請求項２】
少なくとも挿入孔形成部は弾性変形可能な材質で構成され、この挿入孔形成部に上記挿入孔を形成した請求項１に記載の耳飾り。
【請求項３】
上記挿入孔は円弧状に湾曲し、
上記挿入孔内における凹側円弧の両端部を通る直線と、凸側円弧の中央部を通る接線との間隔が上記ピアスポストの外径未満であり、
上記挿入孔の開口からピアスポストを押し込む過程で、ピアスポストの先端が上記凸側円弧部分に押し当てられるとともに、上記押し込み方向にピアスポストが進むにしたがって上記凸側円弧部分が押しつぶされながら弾性的に変形する一方、
上記凹側円弧の両端部には上記ピアスポストを介して上記凸側円弧部分の弾性変形にともなう反力が作用し、この両端部がピアスポストの軸方向に押し広げられながら弾性的に変形し、
上記ピアスポストが上記挿入孔を貫通したとき、上記ピアスポストの外周に挿入孔の内周面の一部もしくは全面が密着して上記ピアスポストに対して上記摩擦力が発揮される請求項２に記載の耳飾り。
【請求項４】
少なくとも上記挿入孔形成部が金属で構成されるとともに、
上記挿入孔は円弧状に湾曲し、
上記挿入孔内における凹側円弧の両端部を通る直線と、凸側円弧の中央部を通る接線との間隔がピアスポストを押し込み可能な寸法に維持され、
上記挿入孔を貫通したピアスポストに上記凹側円弧の両端部と上記凸側円弧の中央部とが密着して上記摩擦力が発揮される請求項１に記載の耳飾り。
【請求項５】
上記挿入孔形成部には、ピアスポストの挿入方向に直交する面における断面形状が扁平な上記挿入孔が形成され、
上記挿入孔の断面形状はその自然状態において短軸がピアスポストの外径以下に保たれるとともに、
その長軸方向両端からの挟持力によって上記断面が短軸方向に拡大し、上記挟持力が解放されたとき上記挿入孔が上記拡大状態から上記扁平状態に復帰し、上記挿入孔に挿入されたピアスポストに上記挿入孔の内周面の全部もしくは一部が密着して上記摩擦力が発揮される請求項１に記載の耳飾り。
【請求項６】
上記イヤカフ本体は塑性変形可能な材質で構成され、
上記一対の挟持部の対向間隔を、これら挟持部で挟持される耳の厚み寸法より小さな寸法の範囲で調整可能にした請求項１〜５のいずれか１に記載の耳飾り。
【発明の詳細な説明】
【技術分野】
【０００１】
本発明は、耳にピアスホールを開けていない人でも、ピアスに近い状態で装飾を楽しむことができる耳飾りに関する。
【背景技術】
【０００２】
耳にピアスホールを開けられない人でも、ピアス感を楽しむことができるようにするために、特許文献１に示す耳飾りが知られている。
この耳飾りは、耳たぶを挟む一対の挟持部を備えたリング状の本体において、挟持部と１８０度対称となる位置の外側に突出してピアス固定部を取り付けたものである。このピアス固定部にはピアスポストを挿入するための挿入孔が形成されている。この挿入孔に貫通させた、ピアスポストの先端にピアスキャッチを取り付けてピアスを固定するようにしている。
また、挿入孔にシリコーンゴムなどを埋め込んで、その弾性力でピアスポストを挟持し、ピアスキャッチを不要にしたものもあった。
【先行技術文献】
【特許文献】
【０００３】
【特許文献１】実用新案登録第３２１４０１２号公報
【発明の概要】
【発明が解決しようとする課題】
【０００４】
上記した従来の耳飾りは、リング状の本体の外側に、その本体とは別部材のピアス固定部が取り付けられている。
このような耳飾りでは、ピアスを固定した本体を耳に装着したとき、装飾体が耳から離れた位置にぶら下がったようになってしまう。
ピアスは、耳に直接装飾体を付けているのに対し、耳の下方に装飾体がぶら下がる従来の耳飾りでは、ピアス感が薄れてしまう。つまり、従来の耳飾りではピアスと同じおしゃれ感を得ることはできなかった。
この発明の目的は、ピアスホールを開けていない人でも、ピアスと同じようなおしゃれ感を楽しむことができる耳飾りを提供することである。
【課題を解決するための手段】
【０００５】
第１の発明は、一対の挟持部で耳を挟持するイヤカフ本体が備えられ、上記一対の挟持部の対向間隔と対向するイヤカフ本体の底部に挿入孔形成部が形成され、この挿入孔形成部には上記挟持部に挟持された耳の厚み方向に貫通した挿入孔が形成されている。そして、この挿入孔は、挿入されたピアスポストに対して挿入孔の内周面の全部または一部が密着可能な形状及び寸法を維持し、上記挿入孔とその挿入孔に挿入されたピアスポストとの密着部分の摩擦力がピアスポストの抜け防止機能を発揮する。
なお、上記挟持部と対向するイヤカフ本体の底部とは、挟持部で耳を挟持したとき、耳の厚み部分に対向する部分である。
【０００６】
第２の発明は、少なくとも挿入孔形成部が弾性変形可能な材質で構成され、この挿入孔形成部に挿入孔を形成している。
上記挿入孔形成部を構成する弾性変形可能な材質とは、ピアスポストの外径よりも小さい内径の挿入孔が、ピアスポストが押し込まれる過程で拡径方向に変形し、貫通したピアスポストに対して密着して締め付け方向の弾性力を発揮する材質で、ゴムなどである。
【０００７】
第３の発明は、弾性変形可能な材質で構成された挿入孔形成部に形成された上記挿入孔が円弧状に湾曲し、上記挿入孔内における凹側円弧の両端部を通る直線と、凸側円弧の中央部を通る接線との間隔をピアスポストの外径未満にしている。
そして、上記挿入孔の開口からピアスポストを押し込む過程では、ピアスポストの先端が上記凸側円弧部分に押し当てられるとともに、上記押し込み方向にピアスポストが進むにしたがって上記凸側円弧部分が押しつぶされながら弾性的に変形する一方、上記凹側円弧の両端部には上記ピアスポストを介して上記凸側円弧部分の弾性変形にともなう反力が作用し、この両端部がピアスポストの軸方向に押し広げられながら弾性的に変形する。
上記ピアスポストが上記挿入孔を貫通したときは、上記ピアスポストの外周に挿入孔の内周面の一部もしくは全面が密着して上記ピアスポストに対して上記摩擦力が発揮されるようにしている。
【０００８】
第４の発明は、少なくとも上記挿入孔形成部が金属で構成されるとともに、上記挿入孔が円弧状に湾曲し、上記挿入孔内における凹側円弧の両端部を通る直線と、凸側円弧の中央部を通る接線との間隔がピアスポストを押し込み可能な寸法に維持され、上記挿入孔を貫通したピアスポストに上記凹側円弧の両端部と上記凸側円弧の中央部とが密着して上記摩擦力が発揮される。
【０００９】
第５の発明は、上記挿入孔形成部に、ピアスポストの挿入方向に直交する面における断面形状が扁平な上記挿入孔が形成され、上記挿入孔の断面形状はその自然状態において短軸がピアスポストの外径以下に保たれるとともに、その長軸方向両端からの挟持力によって上記断面が短軸方向に拡大し、上記挟持力が解放されたとき上記挿入孔が上記拡大状態から上記扁平状態に復帰し、上記挿入孔に挿入されたピアスポストに上記挿入孔の内周面の全部もしくは一部が密着して上記摩擦力が発揮される。
【００１０】
第６の発明は、上記イヤカフ本体が塑性変形可能な材質で構成され、上記一対の挟持部の対向間隔を、これら挟持部で挟持される耳の厚み寸法より小さな寸法の範囲で調整可能にしている。
上記塑性変形可能な材質を用いることで、調整した一対の挟持部の対向間隔を保つことができる。ただし、上記調整可能な範囲は数ミリ以下の小さい範囲である。
【発明の効果】
【００１１】
この発明では、挿入孔形成部がイヤカフ本体の底部に形成され、挿入孔とイヤカフ本体とが一体になる。
そのため、挿入孔が形成されている底部を耳の輪郭に近づけて装着すれば、耳の輪郭の近傍に挿入孔を位置させることができ、挿入孔に固定されたピアスの装飾体と耳との一体感を出すことができる。
したがって、ピアスホールを開けていない人でも、装飾体が耳に直接取り付けられたようなピアス感を楽しむことができる。
また、挿入孔の内周面とピアスポストとの密着部分の摩擦力によって、ピアスポストの抜け防止機能が発揮されるので、耳の裏側にピアスキャッチを取り付ける必要がない。ピアスキャッチが不要なので、ピアスキャッチをなくしたり、ピアスキャッチに頭髪が引っかかってしまったりするようなこともない。
【００１２】
第２の発明では、弾性変形可能な材質内に挿入孔を形成することで、挿入孔に押し込まれたピアスポストに弾性力に基づく強い摩擦力を発揮させ、ピアスポストの抜けをより確実に防止することができる。
【００１３】
第３の発明では、湾曲した挿入孔がピアスポストの挿入によって弾性変形し、ピアスポストに作用する弾性力で摩擦力を発揮させることができる。特に、凸側円弧部分の中央部や、凹側円弧部分の両端部は変形量が大きくなるので弾性力に対応する摩擦力が集中して、抜け防止機能を高めることができる。
【００１４】
第４の発明では、凹側円弧の両端部を通る直線と凸側円弧の中央部の接線との間隔に一致するピアスポストを貫通させ、その外周に凸側円弧の中央部と凹側円弧部の両端部との３点を密着させて、抜けに対する摩擦力を発揮させることができる。
弾性変形しない金属に形成され、ピアスポストの外径と一致する直線状の挿入孔にピアスポストを押し込むことは難しいが、この発明では上記直線と接線との間隔と一致するピアスポストの抜け防止が可能である。
つまり、この発明によれば、ピアスポストを、その外径よりも大きい入口から挿入することができるので挿入しやすく、しかも抜けも防止できる。
【００１５】
また、ピアスポストはその直径が小さいので外力の作用で撓み易い。ピアスポストが挿入孔を通過する過程で挿入孔の内周面に突き当たったとき、当接面に沿ってわずかに撓んで湾曲した挿入孔に簡単に貫通させることできる。そして、挿通過程でわずかに撓んだピアスポストは貫通後に直線状に復帰して、その弾性力でピアスポストの外周が挿入孔の上記３点に密着し、摩擦力で抜け防止機能を発揮させることができる。
【００１６】
第５の発明では、ピアスポストの挿入時には、扁平な挿入孔の断面形状を変形させ、ピアスポストの外径未満の短軸方向の寸法を大きくすることで、挿入孔の内周面とピアスポストの外周との摩擦力の影響を排除することができる。このように、ピアスポストを挿入しやすくし、貫通後には扁平形状に復帰した挿入孔の弾性力によって摩擦力を発揮させて抜け防止機能を発揮させることができる。
【００１７】
第６の発明によれば、塑性変形可能な範囲で、一対の挟持部の対向間隔を耳の厚みに合わせて調整することができる。
挟持部の対向間隔が同じでも、耳の厚みが小さい場合には、挟持力が弱くなってイヤカフ本体が脱落しやすくなり、耳の厚みが大きい場合には挟持力が強すぎて装着中に痛みを感じてしまうことがある。この発明では、挟持部の対向間隔を耳の厚さに合わせて調整できるので、装着時の痛みを感じさせずに、イヤカフ本体の脱落を防止することができる。
【図面の簡単な説明】
【００１８】
【図１】第１実施形態のイヤカフ本体の斜視図である。
【図２】図１のＩＩ−ＩＩ線断面図であって、ピアスポストを挿入していない状態を示している。
【図３】第２実施形態を示すものであって、図２の同様の断面における部分図である。
【図４】第３実施形態を示すものであって、図３と同様の部分断面図である。
【図５】図４の挿入孔にピアスポストを貫通させた状態を示した部分断面図である。
【図６】第４実施形態を示すものであって、図３と同様の部分断面図である。
【図７】図６の挿入孔にピアスポストを貫通させた状態を示した部分断面図である。
【図８】図６の挿入孔に、図７のピアスポストよりも細いピアスポストを貫通させた状態を示した部分断面図である。
【図９】第５実施形態の部分断面図で、ピアスポストの挿入方向に直交する方向の断面図である。
【図１０】図９の挿入孔を長軸方向両端から圧縮した状態の部分断面図である。
【図１１】図９の挿入孔にピアスポストを挿入した状態の部分断面図である。
【発明を実施するための形態】
【００１９】
図１，２に示す第１実施形態の耳飾りは、金属製のイヤカフ本体１を備えている。このイヤカフ本体１は、所定の間隔を保って対向する一対の挟持部２，３を備え、この間隔Ｓに耳たぶなどを挟み込むようにしたものである。
そして、挟持部２，３の互いに対向する面にはそれぞれ環状凸部２ａ，３ａに囲まれた凹部２ｂ，３ｂが形成され、イヤカフ本体１を装着したとき、耳の肉が上記凹部２ｂ，３ｂ内に張り出してイヤカフ本体１が脱落しないようにしている。
【００２０】
また、挟持部２，３と対向する底部４には、その幅方向（矢印Ｗ方向）に伸びる直線状の貫通孔５が形成されている。この貫通孔５内には挿入孔形成部を構成する棒状のシリコーンゴム部材６が埋め込まれ、その中心にはピアスポストＡを挿入するための直線状の挿入孔６ａが形成されている。この直線状の挿入孔６ａは、その内径をピアスポストＡの外径と比べて小さくしている。この実施形態では、上記シリコーンゴムが、この発明の弾性変形可能な材質であるが、弾性変形可能な材質にはシリコーンゴム以外の天然ゴムや合成ゴムなども含まれる。
【００２１】
そして、耳飾り用の装飾体が設けられた図示していないピアスポストＡを上記挿入孔６ａに押し込むと、挿入孔６ａが拡径方向に弾性変形し、その弾性力がピアスポストＡに作用する。
この第１実施形態では、直線状の挿入孔６ａに挿入孔６ａの内径よりも大きいピアスポストＡを押し込むようにするので、貫通したピアスポストＡの外周面には挿入孔６ａの内周面のほぼ全部が密着し、その密着部分で摩擦力が発生し、この発明の抜け防止機能が発揮される。
【００２２】
なお、直線状の挿入孔６ａにおけるこの発明の密着可能な寸法関係とは、上記ピアスポストＡを指で挿入孔６ａに押し込むことができるとともに、それを指でつまんで引き抜くことができ、かつ、重力の作用ではピアスポストが抜け落ちない寸法関係を意味する。
そして、上記寸法関係は、弾性変形可能な部材の弾性率や摩擦係数などの材質の特性によっても変化する。
【００２３】
上記した寸法関係を維持している限り、ピアスポストＡが挿入孔６ａから不用意に抜けることがない。したがって、ピアスポストＡが抜けるのを防止するためのピアスキャッチなどが不要になる。
【００２４】
また、この第１実施形態の耳飾りは、上記挿入孔６ａがイヤカフ本体１に一体的に設けられているので、挿入孔６ａに取り付けた装飾体がイヤカフ本体１と一体化する。このようなイヤカフ本体１を耳に装着したときには、装飾体と耳との一体感を出すことができ、ピアスホールを開けていない人でも、装飾体が耳に直接取り付けられたようなピアス感を楽しむことができる。
【００２５】
図３に示す第２実施形態は、挿入孔の構成が第１実施形態と異なるが、金属製のイヤカフ本体１の全体形状は第１実施形態と同じである。この第２実施形態において、第１実施形態と同じ構成要素には図１と同じ符号を用い、図１を参照する。
第２実施形態では、イヤカフ本体１の底部４に幅方向に伸びる貫通孔７を形成している。この貫通孔７の中央には大径部７ａを備え、その両側を小径部７ｂ，７ｃこれら小径部７ｂ，７ｃの内径をピアスポストＡの外径よりも大きくしている。
【００２６】
そして、上記大径部７ａ内には弾性変形可能なシリコーンゴム部材８からなる挿入孔形成部を設け、このシリコーンゴム部材８の中心に直線状の挿入孔８ａを形成している。
この挿入孔８ａの内周面がピアスポストＡの外周面に密着する寸法関係は、上記第１実施形態の挿入孔６ａと同じである。
したがって、この第２実施形態も、挿入孔８ａを貫通したピアスポストＡに対し摩擦力が作用して抜け防止機能を発揮し、ピアスキャッチがなくても装飾体が脱落することがない。
また、この第２実施形態においても、イヤカフ本体１の底部４に挿入孔８ａが形成されているため、第１実施形態と同様に装飾体と耳との一体感があるピアス感を出すことができる。
【００２７】
ただし、この第２実施形態では、挿入孔８ａの両端に漏斗部８ｂ，８ｃを介して上記小径部７ｂ，７ｃに連通させて、ピアスポストの挿入口側となる小径部７ｂ及び漏斗部８ｂをピアスポストの先端を上記挿入孔８ａに導く誘導孔として機能させ、ピアスポストＡを挿入孔８ａに挿入しやすくしている。
なお、この第２実施形態では、シリコーンゴム部材８からなる挿入孔形成部を貫通孔７の中央に設けているが、イヤカフ本体１の底部４において上記摩擦力を発揮する挿入孔８ａをどこに設けるかは自由である。
【００２８】
図４，５に示す第３実施形態におけるイヤカフ本体１は、図１に示す第１実施形態と同じ形状である。そして、この金属製のイヤカフ本体１の底部４には、開口が円形でピアスポストＡの挿入方向に沿った円弧状に湾曲した挿入孔９が形成されている。
図４，５は挿入孔９の断面円の直径を通る断面であって、図２と同様の面を示している。
そして、この第３実施形態ではイヤカフ本体１の底部４が金属製の挿入孔形成部を構成している。
なお、これら図４，５では、説明のために挿入孔９の大きさや曲率を実際よりも大きめに表わしている。
【００２９】
図４に示すように、挿入孔９内には孔の内周面が外側に向かって凹んだ凹側円弧１０と、この凹側円弧１０に対向して内側に出っ張った凸側円弧１１とが表れる。これらの円弧１０，１１は、ピアスポストＡの挿入方向に沿った同心の円弧で、両円弧１０，１１の対向間隔Ｄ１は一定に保たれている。
【００３０】
また、凹側円弧１０の両端部Ｐ１，Ｐ２を通る直線をＬ１、凸側円弧１１の中央部Ｐ３を通る接線をＬ２とし、上記直線Ｌ１と接線Ｌ２との対向間隔Ｄ２を、この挿入孔９に挿入されるピアスポストＡの外径ｄと同じもしくはわずかに小さく設定している。言い換えれば、挿入孔９には上記間隔Ｄ２と同径もしくはわずかに大きい外径ｄのピアスポストＡが挿入される。
上記のように上記間隔Ｄ２と同等もしくはわずかに大きい外径ｄを有するピアスポストＡを挿入孔９に挿入するということは、間隔Ｄ２に挿入されたピアスポストＡの外周が上記直線Ｌ１及びＬ２に接触することになる。
【００３１】
その結果、挿入孔９を貫通したピアスポストＡの外周面には、図５に示すように凹側円弧１０の両端部Ｐ１，Ｐ２と凸側円弧１１の中央部Ｐ３が密着部となってピアスポストＡに押圧力Ｆ１，Ｆ２，Ｆ３を作用させる。これら押圧力Ｆ１，Ｆ２，Ｆ３で摩擦力を発揮してピアスポストＡの抜け防止機能を発揮する。
【００３２】
なお、上記直線Ｌ１，Ｌ２の間隔Ｄ２がピアスポストＡの外径ｄよりも大きい場合には、この間隔に挿入されたピアスポストＡの外周に上記両端部Ｐ１，Ｐ２及び中央部Ｐ３が密着しないことになる。
一方、間隔Ｄ２が上記外径ｄに比べて小さすぎれば、ピアスポストＡを人が手で押し込むことができない。
したがって、この第３実施形態の挿入孔９の内周面とピアスポストＡの外周とを密着可能にする形状と寸法関係は、間隔Ｄ２が上記外径ｄ以下であって上記ピアスポストＡを指で抜き差しできる大きさである。
【００３３】
また、ピアスポストＡの外径ｄは大きくても１［ｍｍ］程度なので、挿入孔９を通過する過程で挿入孔９の内周面に衝突した場合などに、凹側または凸側円弧１０，１１に沿って撓み、貫通後に直線状に復帰することができる。このように挿通過程で、ピアスポストＡがわずかでも撓めば湾曲した挿入孔９にピアスポストＡを貫通させ易くなる。
一方、外径ｄが上記間隔Ｄ２よりもわずかに大きい場合には、挿入孔９を貫通したピアスポストＡが上記円弧と同方向にわずかに湾曲した状態が維持されるが、その際、ピアスポストＡを直線状態へ復帰させる弾性力がピアスポストＡから上記接触部Ｐ１，Ｐ２，Ｐ３へ作用して摩擦力を発揮させる。
【００３４】
このように、挿入孔９の周囲が弾性変形しにくい金属で構成されていても、湾曲した挿入孔９に上記間隔Ｄ２と同じもしくはわずかに大きい外径ｄのピアスポストＡを挿入して、抜け防止機能を発揮させることができる。
また、この第３実施形態では挿入孔形成部が金属製のイヤカフ本体と一体になっているので、上記第１，２実施形態のように金属製のイヤカフ本体１に部分的にシリコーンゴムなどの別部材を設ける必要がなく、よりシンプルな構成を実現できる。
【００３５】
なお、この第３実施形態において、ピアスポストＡを圧入する際の入り口となる凹側円弧１０の一方の端部Ｐ１側となる挿入孔９の開口にピアスポストＡを挿入しやすくするための誘導孔を連続させてもよい。この誘導孔はその開口側に向かって拡径する漏斗状にすれば、ピアスポストＡを挿入孔９に向かって誘導しやすくなる。
この場合に、この発明における凹側円弧１０の端部Ｐ１は誘導孔と挿入孔９との境界に現れる。
【００３６】
上記のようにした第３実施形態においても、イヤカフ本体１の底部４に挿入孔が形成されているため、第１実施形態と同様に装飾体と耳との一体感のあるピアス感を出すことができる。
【００３７】
図６〜８に示す第４実施形態は、弾性変形可能な材質であるシリコーンゴム製のイヤカフ本体１２を備えたものである。このイヤカフ本体１２は外観を図１に示す第１実施形態のイヤカフ本体１と同じにしている。そして、図示していない一対の挟持部と対向する部分である底部１３に挿入孔１４が形成されている。この第４実施形態では、イヤカフ本体１２の底部１３が弾性変形可能な材質で構成された挿入孔形成部である。
【００３８】
また、上記挿入孔１４は、上記第３実施形態の挿入孔９と同様に円弧状に湾曲し、凹側円弧１５と凸側円弧１６とが同心の円弧でその対向間隔Ｄ３を一定に保っている。この間隔Ｄ３をピアスポストＡの外径ｄとほぼ等しくしている。
そのため、凹側円弧１５の両端部Ｐ１，Ｐ２を通る直線Ｌ１と凸側円弧１６の中央部Ｐ３の接線Ｌ２との間隔Ｄ４は、当然上記外径ｄより小さくなる。
言い換えれば、上記直線Ｌ１，Ｌ２の間隔Ｄ４より大きい外径ｄのピアスポストＡが挿入されることになる。
【００３９】
このようなピアスポストＡを挿入孔１４の入り口側から押し込むと、その先端が凸側円弧１６に突き当たる。凸側円弧１６に突き当たったピアスポストＡをそのまま押し込めば、上記押し込み方向にピアスポストが進むにしたがって凸側円弧部分が押しつぶされながら弾性変形する。
一方、上記凹側円弧１５の両端部Ｐ１，Ｐ２には上記ピアスポストＡを介して上記凸側円弧部分の弾性変形にともなう反力が作用し、この両端部Ｐ１，Ｐ２がピアスポストＡの軸方向に押し広げられながら弾性的に変形する。
【００４０】
上記のように凹側円弧１５及び凸側円弧１６を弾性変形させながらピアスポストＡを貫通させれば、図７に示すように、湾曲した挿入孔１４は貫通したピアスポストＡに沿って直線上に変形し、凹側円弧１５及び凸側円弧１６からピアスポストＡに向かって弾性力Ｆが作用する。この弾性力Ｆは、挿入孔１４の周囲のシリコーンゴムの変形量に応じた大きさとなる。そのため、ピアスポストＡに作用する力は、凹側円弧１５の両端部Ｐ１，Ｐ２と凸側円弧１６の中央部Ｐ３において最も大きくなる。つまり、上記両端部Ｐ１，Ｐ２と中央部Ｐ３とにおいて反対方向の弾性力が集中する。この集中した力によってそれらの密着部分に大きな摩擦力が発生し、抜け防止機能を発揮させる。
【００４１】
このように、ピアスポストＡの外径ｄが、上記円弧の間隔Ｄ３と同等の場合には、貫通したピアスポストＡの外周面に挿入孔１４の内周面のほぼ全部が密着することになる。また、上記外径ｄが間隔Ｄ３よりも大きい場合にも同様である。上記外径ｄが大きければ大きいほど、挿入孔１４の周囲の変形量が大きくなるため、ピアスポストＡの外周面に作用する弾性力が大きくなり、それによる摩擦力も大きくなる。
【００４２】
一方、この第４実施形態において、上記円弧の対向間隔Ｄ３よりも小さい外径ｄ’のピアスポストＡが挿入された場合には、間隔Ｄ３と同等の外径ｄのピアスポストＡの挿入時と比べて、凸側円弧１６及び凹側円弧１５の変形量が小さくなる。そのため、図８に示すように両円弧１５，１６とピアスポストＡの外周面との間に隙間ができる。
このように、挿入孔１４の内周面の全部がピアスポストＡの外周に密着しないが、内周面の一部が密着し、この密着部分でピアスポストＡに対し弾性力が作用して摩擦力を発生して抜け防止機能を発揮させることができる。
【００４３】
なお、ピアスポストＡの外径ｄが上記直線Ｌ１，Ｌ２の間隔Ｄ４より小さい場合には、挿入孔１４を貫通したピアスポストＡの外周に挿入孔１４の内周面が密着しないので、抜け防止機能を発揮することはできない。したがって、上記直線Ｌ１，Ｌ２の間隔Ｄ４がピアスポストＡの外径ｄより小さいことが必須である。ただし、この間隔Ｄ４は最小限ピアスポストＡを指でつまんで押し込めるだけの寸法が必要である。
【００４４】
上記のような第４実施形態においても、イヤカフ本体１２の底部１３に挿入孔１４が形成されているため、第１実施形態と同様に装飾体と耳との一体感のあるピアス感を出すことができる。
この第４実施形態では、イヤカフ本体１２をシリコーンゴムで形成しているが、イヤカフ本体を金属製にして挿入孔１４を形成する挿入孔形成部のみをシリコーンゴムなどの弾性変形可能な材質で構成してもよい。
さらに、挿入孔１４の入り口側となる凹側円弧１５の一端Ｐ１に連続させて例えば漏斗状の誘導孔を連続させてもよい。
【００４５】
また、上記第３，４実施形態の湾曲した挿入孔９，１４は、イヤカフ本体１，１２を装着した耳側が凸側となるカーブであるが、挿入孔の湾曲方向はこれに限らない。底部４，１３の幅方向に貫通孔が形成されれば、挿入孔９，１４がどの方向に湾曲していても構わない。
また、上記第３，４実施形態では凸側円弧と凹側円弧とを対向間隔が一定になる同心の円弧で構成しているが、両円弧は同心の円弧に限らないし、各円弧は部分的に曲率が変化するような円弧でもよい。
【００４６】
図９〜１１に示す第５実施形態は、第４実施形態と同様のシリコーンゴム製のイヤカフ本体１２を備え、底部１３に断面形状がスリット状の挿入孔１７を直線状に貫通させたものである。図９はピアスポストＡ（図１１参照）の挿入方向に直交する断面図である。
この第５実施形態の挿入孔１７は、自然状態で図９に示すように、底部１３の断面に、長軸ａと短軸ｂとを有する扁平な開口である。なお、扁平な開口としては、スリット状に限らず、楕円や長方形などでもよい。そして、自然状態での短軸ｂをピアスポストＡの外径ｄより小さくしている。また、長軸ａは自然状態で上記外径ｄよりも大きく、後で説明するようにその両端から挟持力ｆ，ｆを作用させた状態でもピアスポストＡの直径ｄより大きくなるようにしている。
【００４７】
上記のような扁平な挿入孔１７にピアスポストＡを挿入する際には、底部１３の外側から、挿入孔１７をつまむようにして長軸ａの両端から挟持力ｆ，ｆを作用させ、図１０のように短軸ｂをピアスポストＡの外径ｄよりも拡大させる。このように短軸ｂを拡大させれば、挿入孔１７の開口がピアスポストＡの断面よりも大きくなる。したがって、ピアスポストＡを挿入孔１７に簡単に貫通させることができる。ピアスポストＡを貫通させたら、つまんでいる手を放して挟持力ｆ，ｆを解放すれば、挿入孔１７が扁平状態に復帰し、図１１に示すように短軸ｂの両端側がピアスポストＡに密着する。
【００４８】
この第５実施形態では、図１１に示すようにピアスポストＡの外周に、短軸ｂの両端側の内周面が密着して弾性力を作用させ、この弾性力による摩擦力がピアスポストＡの抜け防止機能を発揮する。
なお、この第５実施形態の扁平な挿入孔１７の内周面がピアスポストＡの外周に密着可能な寸法関係は、挿入孔１７の短軸ｂが自然状態でピアスポストＡの外径より小さく、長軸ａの両端側から挟持力ｆ、ｆを作用させて変形させた開口がピアスポストＡを挿入可能な大きさになるものである。
ただし、密着部分の位置や大きさは、底部１３を構成する材質の弾性や挿入孔１７の開口形状などによって変化させることができる。
【００４９】
この第５実施形態では、挿入孔１７の周囲の弾性変形によって摩擦力を発揮させることができる点は、第１実施形態と同様である。ただし、この第５実施形態では、短軸ｂを拡大させてピアスポストＡを挿入しやすくできる特徴がある。ピアスポストＡを抜き取る際にも、挿入時と同じように短軸ｂを拡大させて簡単に抜き取ることができる。
この第５実施形態も、イヤカフ本体１２の底部１３に挿入孔１７が形成されているため、上記他の実施形態と同様に装飾体と耳との一体感のあるピアス感を出すことができる。
【００５０】
なお、この第５実施形態においても挿入孔１７の入り口側の端部に、入り口に向かって拡径する漏斗状などの誘導孔を設けてもよい。
また、扁平な挿入孔１７を形成する挿入孔形成部となる底部１３のみをシリコーンゴムなどの弾性変形可能な材質で構成し、他の部分を金属製にしてもよい。
【００５１】
上記のように第１〜５実施形態の耳飾りは、いずれもイヤカフ本体に形成された挿入孔にピアスポストを挿入するだけで装飾体を固定でき、耳にピアスホールを開けていない人でもピアス感を楽しむことができるものである。
そして、イヤカフ本体の全体形状や一対の挟持部の対向間隔を、耳の各部に応じて設定すれば、耳たぶ以外にも耳の様々な位置に装着することができる。
さらに、イヤカフ本体を塑性変形可能な金属などで形成すれば、一対の挟持部の対向間隔Ｓ（図２参照）を、装着者の耳の厚みに応じて微調整することもできる。
【００５２】
また、上記挿入孔の内周面に凹凸を設ければ、ピアスポストＡに対する押圧力を凸部に集中させて摩擦力を集中的に作用させることもできる。
さらに、挿入孔内周面の材質や粗さによって摩擦係数を制御し、ピアスポストＡの外周との密着部分における摩擦力を調整することもできる。
【００５３】
また、イヤカフ本体を透明樹脂などで構成すれば、イヤカフ本体を目立たなくすることができ、ピアス感をより高めることができる。
さらに、イヤカフ本体に、ピアスの装飾体とは別の装飾体を取付けたり、イヤカフ本体に彫刻などの装飾を施したりすれば、さらに装飾効果を高めることができる。
【産業上の利用可能性】
【００５４】
耳にピアスホールを開けていない人もピアス感を楽しむことができる。
【符号の説明】
【００５５】
１，１２    イヤカフ本体
２，３    挟持部
Ｓ    挟持部の対向間隔
４，１３    （挿入孔形成部を構成する）底部
６ａ，８ａ，９，１４，１７    挿入孔
６，８    （挿入孔形成部）シリコーンゴム部材
１０，１５    凹側円弧
１１，１６    凸側円弧
Ｐ１，Ｐ２    凹側円弧の両端部
Ｐ３    凸側円弧の中央部
Ａ    ピアスポスト
ｄ，ｄ’    ピアスポストの外径
Ｆ１，Ｆ２，Ｆ２，Ｆ    弾性力、押圧力
ｆ    挟持力
Ｌ１    直線
Ｌ２    接線
【図１】
2020162639.tif 000003
【図２】
2020162639.tif 000004
【図３】
2020162639.tif 000005
【図４】
2020162639.tif 000006
【図５】
2020162639.tif 000007
【図６】
2020162639.tif 000008
【図７】
2020162639.tif 000009
【図８】
2020162639.tif 000010
【図９】
2020162639.tif 000011
【図１０】
2020162639.tif 000012
【図１１】
2020162639.tif 000013